(57)【要約】【課題】異種ネットワークにアクセスする機能を有する場合にデータ通信の制御方法を簡単にする。【解決手段】異種ネットワークにおける、情報端末２０と通信可能な携帯通信端末１０であって、前記異種ネットワークのサービスエリアで別々にデータ通信を行う複数の無線通信部１１、２１と、前記無線通信部のデータ通信を前記無線通信部の固有の制御コマンドで制御するデータ通信制御部１２、２２と、前記データ通信制御部で使用される制御コマンドと前記情報端末との通信に使用される制御コマンドとの変換を行うコマンド変換部１３とを備える。【選択図】　図１
2004040147.tif 000002
【特許請求の範囲】
【請求項１】
異種ネットワークにおける、情報端末と通信可能な携帯通信端末であって、
前記異種ネットワークのサービスエリアで別々にデータ通信を行う複数の無線通信部と、
前記無線通信部のデータ通信を前記無線通信部の固有の制御コマンドで制御するデータ通信制御部と、
前記データ通信制御部で使用される制御コマンドと前記情報端末との通信に使用される制御コマンドとの変換を行うコマンド変換部とを備えることを特徴とする情報端末と通信可能な携帯通信端末。
【請求項２】
無線ＷＡＮ、無線ＬＡＮにおける、情報端末と通信可能な携帯通信端末であって、
前記無線ＷＡＮとのアクセス機能を有する無線ＷＡＮ通信部と、
前記無線ＬＡＮとのアクセス機能を有する無線ＬＡＮ通信部と、
前記無線ＬＡＮ通信部のデータ通信を前記無線ＬＡＮの制御コマンドで制御すると同時に無線ＬＡＮの制御コマンドで前記通信端末と通信を行う無線ＬＡＮデータ通信制御部と、
前記無線ＷＡＮ通信部のデータ通信を無線ＷＡＮの制御コマンドで制御する無線ＷＡＮデータ通信制御部と、
前記無線ＷＡＮデータ通信制御部と前記情報端末との間で前記無線ＷＡＮの制御コマンドと前記無線ＬＡＮの制御コマンドとの変換を行う無線ＷＡＮコマンド変換部とを備えることを特徴とする無線ＷＡＮ、無線ＬＡＮにおける、情報端末と通信可能な携帯通信端末。
【請求項３】
前記携帯通信端末と前記情報端末との間では前記無線ＬＡＮ通信部用の制御プロトコルで通信を行うことを特徴とする、請求項２に記載の無線ＷＡＮ、無線ＬＡＮにおける、情報端末と通信可能な携帯通信端末。
【請求項４】
前記無線ＷＡＮコマンド変換部は、無線ＷＡＮのデータ受信中には前記無線ＷＡＮの制御コマンドから前記無線ＬＡＮの制御コマンドへの変換を行い、無線ＷＡＮのデータ送信中には前記無線ＬＡＮの制御コマンドから前記無線ＷＡＮの制御コマンドへの変換を行うことを特徴とする、請求項２に記載の無線ＷＡＮ、無線ＬＡＮにおける、情報端末と通信可能な携帯通信端末。
【請求項５】
前記無線ＷＡＮコマンド変換部は、前記ＬＡＮ通信部用の制御コマンドとしてＮＤＩＳコマンドから前記ＷＡＮ通信部用の制御コマンドとしてＡＴコマンドに変換することを特徴とする、請求項２に記載の無線ＷＡＮ、無線ＬＡＮにおける、情報端末と通信可能な携帯通信端末。
【請求項６】
前記無線ＷＡＮコマンド変換部は、データ受信中の電波状況のレポート、課金情報を含む制御情報を前記無線ＬＡＮ通信部で使用可能な制御情報に変換して前記情報端末に転送することを特徴とする、請求項２に記載の無線ＷＡＮ、無線ＬＡＮにおける、情報端末と通信可能な携帯通信端末。
【請求項７】
前記無線ＬＡＮ制御部、前記無線ＷＡＮコマンド変換部は、前記携帯通信端末から前記情報端末へ、前記情報端末から前記携帯通信端末への送受信データをＬＡＮで定義されたパケット列に構成又は分解する機能を有することを特徴とする、請求項２に記載の無線ＷＡＮ、無線ＬＡＮにおける、情報端末と通信可能な携帯通信端末。
【請求項８】
前記無線ＬＡＮ制御部、前記無線ＷＡＮコマンド変換部は前記送受信データのパケットを指定されたパケットサイズに分割統合する機能を有することを特徴とする、請求項７に記載の記載の無線ＷＡＮ、無線ＬＡＮにおける、情報端末と通信可能な携帯通信端末。
【請求項９】
さらに、前記情報端末に対する携帯通信機器外部インタフェースブロックを設け、前記携帯通信機器外部インタフェースブロックと前記無線ＷＡＮコマンド変換部、前記無線ＬＡＮ制御部の間は、前記データ送受信と、前記制御コマンドの転送を別々に行うデータインタフェースがそれぞれ設けられることを特徴とする、請求項２に記載の無線ＷＡＮ、無線ＬＡＮにおける、情報端末と通信可能な携帯通信端末。
【請求項１０】
前記携帯通信機器外部インタフェースブロックと前記情報端末との間に別々の経路で平行して、制御コマンドの転送を行うためのデータインタフェース、送受信データの転送を行うためのデータインタフェース、無線ＬＡＮ・ＷＡＮでのデータ通信が有効になったとの情報を転送するためのデータインタフェースを設けることを特徴とする、請求項９に記載の無線ＷＡＮ、無線ＬＡＮにおける、情報端末と通信可能な携帯通信端末。
【請求項１１】
前記携帯通信機器外部インタフェースブロックと前記情報端末の間に設けられる制御コマンドの転送を行うためのデータインタフェース、送受信データの転送を行うためのデータインタフェース、無線ＬＡＮ・ＷＡＮでのデータ通信が有効になったとの情報を転送するためのデータインタフェースがＵＳＢインタフェースで形成されることを特徴とする、請求項１０に記載の無線ＷＡＮ、無線ＬＡＮにおける、情報端末と通信可能な携帯通信端末。
【請求項１２】
前記無線ＷＡＮコマンド変換部は前記無線ＷＡＮへのアクセス時に前記無線ＬＡＮ通信部に現在無線ＷＡＮが有効であることを知らせ通信停止をさせ、前記無線ＬＡＮ制御部は前記無線ＬＡＮへのアクセス時に前記無線ＷＡＮに現在無線ＬＡＮが有効であることを知らせ通信停止をさせることを特徴とする、請求項２に記載の無線ＷＡＮ、無線ＬＡＮにおける、情報端末と通信可能な携帯通信端末。
【請求項１３】
前記無線ＷＡＮコマンド変換部と前記無線ＬＡＮデータ通信制御部との間に無線ＬＡＮ有効線を設け、前記無線ＷＡＮデータ通信制御部と前記無線ＬＡＮデータ通信制御部との間に無線ＷＡＮ有効線とを設け、前記無線ＬＡＮ制御部から前記無線ＷＡＮコマンド変換部に現在無線ＬＡＮが有効であることを知らせるために前記無線ＬＡＮ有効線がアクティブになり、前記無線ＷＡＮデータ通信制御部から前記無線ＬＡＮ制御部に現在無線ＷＡＮが有効であることを知らせるために前記無線ＷＡＮ有効線がアクティブになることを特徴とする、請求項１２に記載の無線ＷＡＮ、無線ＬＡＮにおける、情報端末と通信可能な携帯通信端末。
【請求項１４】
前記無線ＷＡＮへのアクセス時に現在無線ＷＡＮでの通信が有効になっているとの情報を前記情報端末に送付し表示させ、前記無線ＬＡＮへのアクセス時に現在無線ＬＡＮでの通信が有効になっているとの情報を前記情報端末に送付し表示させることを特徴とする、請求項１２に記載の無線ＷＡＮ、無線ＬＡＮにおける、情報端末と通信可能な携帯通信端末。
【請求項１５】
前記無線ＷＡＮから前記無線ＬＡＮへの切り替え時に前記無線ＬＡＮ制御部から前記情報端末に無線ＬＡＮの認証手続きを要求し認証完了後に前記無線ＬＡＮが有効であることが知らされ、前記無線ＷＡＮから前記無線ＬＡＮへの切り替え時に前記コマンド変換・無線ＷＡＮ制御部から前記情報端末に無線ＷＡＮの認証手続きを要求し認証完了後に前記無線ＷＡＮが有効であることが知らされることを特徴とする、請求項２に記載の無線ＷＡＮ、無線ＬＡＮにおける、情報端末と通信可能な携帯通信端末。
【請求項１６】
異種ネットワークにおける、情報端末と通信可能な携帯通信端末の制御プロトコル変換方法であって、
前記異種ネットワークのサービスエリアで別々にデータ通信を行う工程と、
前記データ通信をネットワークで使用される制御コマンドで制御する工程と、
前記ネットワークで使用される制御コマンドと前記情報端末に使用される制御コマンドとの変換を行う工程とを備えることを特徴とする異種ネットワークにおける、情報端末と通信可能な携帯通信端末の制御プロトコル変換方法。
【発明の詳細な説明】
【０００１】
【産業上の利用分野】
本発明は情報端末と通信可能な携帯通信端末に関する。特に、本発明は、異種ネットワークにおける携帯通信端末の制御プロトコル変換方法に関する。
【０００２】
【従来の技術】
図５は本発明の前提となる情報端末と通信可能な携帯通信端末の概略構成を示すブロック図である。なお、全図を通して同一の構成要素には同一の番号、符号を付して説明を行う。
本図に示すように、携帯通信端末１０とこれと通信可能な情報端末２０との間では、データ通信時等のデータ通信制御にＡＴ（Ａｔｔｅｎｔｉｏｎ）コマンドの方式が使用されており、ＡＴコマンドの方式は制御コマンドとデータ列が同じインタフェース上に時分割で転送される。
【０００３】
携帯通信端末１０には無線ＷＡＮ（Ｗｉｄｅ　Ａｒｅａ　Ｎｅｔｗｏｒｋ）（ＣＤＭＡ（Ｃａｒｒｉｅｒ　Ｄｉｖｉｓｉｏｎ　Ｍｕｌｔｉｐｌｅ　Ａｃｃｅｓｓ））通信部１１が設けられ、無線ＷＡＮ通信部１１は、無線ＷＡＮサービスエリアで通信データの送受信を行う。
無線ＷＡＮ通信部１１にはデータインタフェース１０１を介して無線ＷＡＮデータ通信制御ブロック１２が接続され、無線ＷＡＮデータ通信制御ブロック１２は、無線ＷＡＮ通信部１１の通信を制御し、無線ＷＡＮ通信部１１から受信データを送られ、無線ＷＡＮ通信部１１に送信データを送る。
【０００４】
無線ＷＡＮデータ通信制御ブロック１２には、インタフェース１０２、インタフェース１１２を介して、コマンド／データ分離ブロック１５が接続され、コマンド／データ分離ブロック１５はＡＴコマンドの方式で転送される制御コマンドとデータ列を分離して、コマンド／データ分離ブロック１５と無線ＷＡＮデータ通信制御ブロック１２の間では、インタフェース１１２を介して、送受信データの転送が行われ、インタフェース１０２を介して、制御コマンドの転送が行われる。
コマンド／データ分離ブロック１５には、コマンドデータインタフェース１４１を介して、携帯通信機器外部インタフェースブロック１４が接続され、携帯通信機器外部インタフェースブロック１４とコマンド／データ分離ブロック１５の間では、データインタフェース３０１を介して、情報端末２０からのＡＴコマンド方式の制御コマンドとデータ列の転送が行われる。
【０００５】
ところで、上記携帯通信端末１０では、コマンド／データ分離ブロック１５と携帯通信機器外部インタフェースブロック１４の間にはコマンドデータインタフェース１４１が１つしかないので、データ通信中には情報端末２０が携帯通信端末１０に制御コマンドを送付できない。
このため、情報端末２０は常に携帯通信端末１０がデータ通信中で制御コマンドを受け付けられない状態なのかどうかを把握し、また制御コマンド送付時には、特別なシーケンスを使用して携帯通信端末１０を制御コマンドが受け付けられる状態に遷移させた後に制御コマンドを送付し、必要であればコマンド送付が終了した後にまた携帯通信端末１０をデータ通信可能状態に戻す必要があった。
【０００６】
一方、通常のＬＡＮ（Ｌｏｃａｌ　Ａｒｅａ　Ｎｅｔｗｏｒｋ）機器では、制御コマンドは例えばＮＤＩＳ（Ｎｅｔｗｏｒｋ　Ｄｒｉｖｅｒ　Ｉｎｔｅｒｆａｃｅ　Ｓｐｅｃｉｆｉｃａｔｉｏｎ）というプロトコルを使用し、ＬＡＮ機器がデータ通信中であっても制御コマンドを送付することが可能になっている。
【０００７】
【発明が解決しようとする課題】
このため、上記の携帯通信端末１０に無線ＷＡＮのデータ送受信機能と共に無線ＬＡＮでのデータ送受信機能を盛り込もうとした場合、無線ＷＡＮが有効な場合のコマンド／データ通信の制御方法と無線ＬＡＮが有効になっている場合のコマンド／データ通信の制御方法が異なり、携帯通信端末１０のデータ通信に関する制御方法が複雑になるという問題がある。
【０００８】
さらに、無線ＷＡＮの通信中では、データ通信中に制御コマンドの発行ができないため、無線ＬＡＮが有効な場合と無線ＷＡＮが有効な場合での情報端末２０上の動作が異なってしまい、情報端末２０を使用しているユーザに混乱をきたす可能性があるという問題がある。
また、携帯通信端末１０の無線ＷＡＮでの制御コマンドをＮＤＩＳプロトコルのみにしてしまうと、情報端末２０内にある従来のアプリケーションソフトウエアが動作しなくなってしまうという問題がある。
【０００９】
また、携帯通信端末１０自体の開発も、従来の無線ＷＡＮデータ通信制御ブロック１２が使用できなくなるため、開発期間が増大する可能性があるという問題がある。
したがって、本発明は上記問題点に鑑みて、無線ＷＡＮと無線ＬＡＮ双方の機能を有する場合にもデータ通信に関する制御方法が簡単になり、無線ＷＡＮ又は無線ＬＡＮが有効である場合に情報端末２０上の異なる動作に起因するユーザの混乱を防止きでき、無線ＷＡＮでの制御コマンドをＮＤＩＳプロトコルのみにしてしまうことに起因する情報端末２０内のアプリケーションソフトウエアが動作しなくなくなることを防止し、無線ＷＡＮデータ通信制御ブロック１２の不使用に起因する開発期間の増大を防止できる情報端末と通信可能な携帯通信端末及び異種ネットワークにおける携帯通信端末の制御プロトコル変換方法を提供することを目的とする。
【００１０】
【課題を解決するための手段】
本発明は前記問題点を解決するために、異種ネットワークにおける、情報端末と通信可能な携帯通信端末であって、前記異種ネットワークのサービスエリアで別々にデータ通信を行う複数の無線通信部と、前記無線通信部のデータ通信を前記無線通信部の固有の制御コマンドで制御するデータ通信制御部と、前記データ通信制御部で使用される制御コマンドと前記情報端末との通信に使用される制御コマンドとの変換を行うコマンド変換部とを備えることを特徴とする情報端末と通信可能な携帯通信端末を提供する。
【００１１】
この手段により、異なるネットワークへのアクセス機能を有する場合でもデータ通信に関する制御方法が簡単になる。
さらに、本発明は、無線ＷＡＮ、無線ＬＡＮにおける、情報端末と通信可能な携帯通信端末であって、前記無線ＷＡＮとのアクセス機能を有する無線ＷＡＮ通信部と、前記無線ＬＡＮとのアクセス機能を有する無線ＬＡＮ通信部と、前記無線ＬＡＮ通信部のデータ通信を前記無線ＬＡＮの制御コマンドで制御すると同時に無線ＬＡＮの制御コマンドで前記通信端末と通信を行う無線ＬＡＮデータ通信制御部と、前記無線ＷＡＮ通信部のデータ通信を無線ＷＡＮの制御コマンドで制御する無線ＷＡＮデータ通信制御部と、前記無線ＷＡＮデータ通信制御部と前記情報端末との間で前記無線ＷＡＮの制御コマンドと前記無線ＬＡＮの制御コマンドとの変換を行う無線ＷＡＮコマンド変換部とを備えることを特徴とする無線ＷＡＮ、無線ＬＡＮにおける、情報端末と通信可能な携帯通信端末を提供する。
【００１２】
この手段により、データ通信を無線ＬＡＮ経由で行っているのか、無線ＷＡＮ経由で行っているのかによって、情報端末側での携帯通信端末制御コマンドの種類、制御シーケンスを気にすることなく、シームレスに無線ＬＡＮ、無線ＷＡＮでのデータ通信を行うことが可能になる。すなわち、無線ＷＡＮと無線ＬＡＮ双方の機能を有する場合にもデータ通信に関する制御方法が簡単になり、無線ＷＡＮでの制御コマンドをＮＤＩＳプロトコルのみにしてしまうことに起因する情報端末内のアプリケーションソフトウエアが動作しなくなくなることを防止し、無線ＷＡＮデータ通信制御ブロックの不使用に起因する開発期間の増大を防止できる。
【００１３】
さらに、前記携帯通信端末と前記情報端末との間では前記無線ＬＡＮ通信部用の制御プロトコルで通信を行う。
この手段により、無線ＷＡＮでデータ通信中に制御コマンドの発行が可能になる。
さらに、前記無線ＷＡＮコマンド変換部は、無線ＷＡＮのデータ受信中には前記無線ＷＡＮの制御コマンドから前記無線ＬＡＮの制御コマンドへの変換を行い、無線ＷＡＮのデータ送信中には前記無線ＬＡＮの制御コマンドから前記無線ＷＡＮの制御コマンドへの変換を行う。
【００１４】
この手段により、単一の制御コマンドにして、無線ＬＡＮのデータ通信と無線ＷＡＮのデータ通信を行うことが可能になる。
さらに、前記無線ＷＡＮコマンド変換部は、前記ＬＡＮ通信部用の制御コマンドとしてＮＤＩＳコマンドから前記ＷＡＮ通信部用の制御コマンドとしてＡＴコマンドに変換する。
【００１５】
この手段により、単一の制御コマンドにて無線ＷＡＮ、無線ＬＡＮのデータ通信が可能になる。
さらに、前記無線ＷＡＮコマンド変換部は、データ受信中の電波状況のレポート、課金情報を含む制御情報を前記無線ＬＡＮ通信部で使用可能な制御情報に変換して前記情報端末に転送する。
無線ＷＡＮで情報端末とデータ通信中にも制御情報の転送が可能になる。
さらに、前記無線ＬＡＮ制御部、前記無線ＷＡＮコマンド変換部は、前記携帯通信端末から前記情報端末へ、情報端末から前記携帯通信端末への送受信データをＬＡＮで定義されたパケット列に構成又は分解する機能を有し、前記送受信データのパケットを指定されたパケットサイズに分割統合する機能を有する。
【００１６】
この手段により、情報端末では、統一したデータ形式で処理が可能になる。
さらに、前記情報端末に対する携帯通信機器外部インタフェースブロックを設け、前記携帯通信機器外部インタフェースブロックと前記無線ＷＡＮコマンド変換部、前記無線ＬＡＮ制御部の間は、前記データ送受信と、前記制御コマンドの転送を別々に行うデータインタフェースがそれぞれ設けられる。
この手段により、情報端末では、無線ＬＡＮのアクセス時と同様に、無線ＷＡＮのアクセス時のデータ通信中にも制御コマンドの発行が可能になる。
【００１７】
さらに、前記携帯通信機器外部インタフェースブロックと前記情報端末との間に別々の経路で平行して、制御コマンドの転送を行うためのデータインタフェース、送受信データの転送を行うためのデータインタフェース、無線ＬＡＮ・ＷＡＮでのデータ通信が有効になったとの情報を転送するためのデータインタフェースを設ける。
この手段により、情報端末に対して、無線ＷＡＮのアクセス時のデータ通信中にも制御コマンドの発行、有効なネットワークの情報の転送が可能になる。
【００１８】
さらに、前記携帯通信機器外部インタフェースブロックと前記情報端末の間に設けられる制御コマンドの転送を行うためのデータインタフェース、送受信データの転送を行うためのデータインタフェース、無線ＬＡＮ・ＷＡＮでのデータ通信が有効になったとの情報を転送するためのデータインタフェースがＵＳＢインタフェースで形成される。
この手段により、ＵＳＢインタフェースを用いるので、情報端末と携帯通信端末間の通信が容易に行えるようになる。
【００１９】
さらに、前記無線ＷＡＮコマンド変換部は前記無線ＷＡＮへのアクセス時に前記無線ＬＡＮ通信部に現在無線ＷＡＮが有効であることを知らせ通信停止をさせ、前記無線ＬＡＮ制御部は前記無線ＬＡＮへのアクセス時に前記無線ＷＡＮに現在無線ＬＡＮが有効であることを知らせ通信停止をさせる。
この手段により、無線ＷＡＮと無線ＬＡＮの切替が可能になる。
さらに、前記無線ＷＡＮコマンド変換部と前記無線ＬＡＮデータ通信制御部との間に無線ＬＡＮ有効線を設け、前記無線ＷＡＮデータ通信制御部と前記無線ＬＡＮデータ通信制御部との間に無線ＷＡＮ有効線とを設け、前記無線ＬＡＮ制御部から前記無線ＷＡＮコマンド変換部に現在無線ＬＡＮが有効であることを知らせるために前記無線ＬＡＮ有効線がアクティブになり、前記無線ＷＡＮデータ通信制御部から前記無線ＬＡＮ制御部に現在無線ＷＡＮが有効であることを知らせるために前記無線ＷＡＮ有効線がアクティブになる。
【００２０】
この手段により、無線ＷＡＮと無線ＬＡＮの切替が容易に行われる。
さらに、前記無線ＷＡＮへのアクセス時に現在無線ＷＡＮでの通信が有効になっているとの情報を前記情報端末に送付し表示させ、前記無線ＬＡＮへのアクセス時に現在無線ＬＡＮでの通信が有効になっているとの情報を前記情報端末に送付し表示させる。
この手段により、無線ＷＡＮ又は無線ＬＡＮが有効である場合に情報端末上の異なる動作に起因するユーザの混乱を防止きできる。
【００２１】
さらに、前記無線ＷＡＮから前記無線ＬＡＮへの切り替え時に前記無線ＬＡＮ制御部から前記情報端末に無線ＬＡＮの認証手続きを要求し認証完了後に前記無線ＬＡＮが有効であることが知らされ、前記無線ＷＡＮから前記無線ＬＡＮへの切り替え時に前記コマンド変換・無線ＷＡＮ制御部から前記情報端末に無線ＷＡＮの認証手続きを要求し認証完了後に前記無線ＷＡＮが有効であることが知らされる。
これにより、携帯通信端末の悪用の防止が可能になる。
【００２２】
さらに、本発明は、異種ネットワークにおける、情報端末と通信可能な携帯通信端末の制御プロトコル変換方法であって、前記異種ネットワークのサービスエリアで別々にデータ通信を行う工程と、
前記データ通信をネットワークで使用される制御コマンドで制御する工程と、前記ネットワークで使用される制御コマンドと前記情報端末に使用される制御コマンドとの変換を行う工程とを備えることを特徴とする異種ネットワークにおける、情報端末と通信可能な携帯通信端末の制御プロトコル変換方法を提供する。
【００２３】
この手段により、上記発明と同様に、異なるネットワークへのアクセス機能を有する場合でもデータ通信に関する制御方法が簡単になる。
【００２４】
【発明の実施の形態】
以下、本発明の実施の形態について図面を参照して説明する。
図１は本発明に係る異種ネットワークに接続され、情報端末と通信可能な携帯通信端末の概略構成を示すブロック図である。
本図に示すように、携帯通信端末１０には、無線ＬＡＮ（Ｌｏｃａｌ　Ａｒｅａ　Ｎｅｔｗｏｒｋ）通信部２１と無線ＷＡＮ通信部１１の双方が設けられ、無線ＬＡＮ通信部２１、無線ＷＡＮ通信部１１は、無線ＬＡＮサービスエリア、無線ＷＡＮサービスエリアのそれぞれで、通信データをそれぞれ送受信する。
さらに、携帯通信端末１０とこれと通信可能な情報端末２０との間では、データ通信時等のデータ通信制御に、無線ＬＡＮ通信部２１用のＮＤＩＳのプロトコルが使用されているとする。
【００２５】
図５と比較して、同一の、無線ＷＡＮ通信部１１、無線ＷＡＮデータ通信制御ブロック１２、携帯通信機器外部インタフェースブロック１４が使用される。無線ＷＡＮ通信部１１、無線ＷＡＮデータ通信制御ブロック１２には無線ＷＡＮへのアクセス機能はあるが無線ＬＡＮへのアクセスの機能はない。
無線ＬＡＮ通信部２１にはデータインタフェース２０１を介して、無線ＬＡＮデータ通信制御ブロック２２が接続され、無線ＬＡＮデータ通信制御ブロック２２は無線ＬＡＮへのアクセス機能を有するが、無線ＷＡＮへのアクセス機能はなく、無線ＬＡＮ通信部２１の通信を制御し、無線ＬＡＮ通信部２１から受信データを送られ、無線ＬＡＮ通信部２１に送信データを送り、送受信データをＬＡＮで定義されたパケット列に構成又は分解する。このパケット列の構成又は分解は情報端末２０で統一したデータ処理を可能にするためである。
【００２６】
無線ＬＡＮデータ通信制御ブロック２２には、データインタフェース２１２、２０２を介して、携帯通信機器外部インタフェースブロック１４が接続される。携帯通信機器外部インタフェースブロック１４と無線ＬＡＮデータ通信制御ブロック２２との間では、データインタフェース２１２を介して、送受信データの転送が行われる。
一方、携帯通信機器外部インタフェースブロック１４と無線ＬＡＮデータ通信制御ブロック２２との間では、データインタフェース２０２を介して、無線ＬＡＮを制御するための制御コマンドの転送が行われる。
【００２７】
次に、前述のように、無線ＷＡＮ通信部１１は、データインタフェース１０１を介して、受信データを無線ＷＡＮデータ通信制御ブロック１２に送り、送信データを無線ＷＡＮデータ通信制御ブロック１２から送られる。
無線ＷＡＮデータ通信制御ブロック１２は、無線ＬＡＮアクセス機能がない従来の携帯通信端末１０と同一のものを使用しているため、制御コマンドとして、ＡＴコマンドを使用するようになっている。
【００２８】
無線ＷＡＮデータ通信制御ブロック１２には、データインタフェース１１２、データインタフェース１０２を介して、無線ＷＡＮコマンド変換ブロック１３が接続される。無線ＷＡＮコマンド変換ブロック１３は、今回の提案で新規に追加され、無線ＷＡＮコマンド変換ブロック１３と無線ＷＡＮデータ通信制御ブロック１２との間では、データインタフェース１１２を介して、送受信データの転送が行われる。
さらに、無線ＷＡＮコマンド変換ブロック１３と無線ＷＡＮデータ通信制御ブロック１２との間でははデータインタフェース１０２を介して、無線ＷＡＮを制御するための制御コマンドの転送が行われる。
無線ＷＡＮコマンド変換ブロック１３には、データインタフェース１１４、データインタフェース１０４を介して携帯通信機器外部インタフェースブロック１４が接続される。
【００２９】
データインタフェース１１４と無線ＷＡＮコマンド変換ブロック１３との間では、データインタフェース１１４を介して、送受信データの転送が行われる。
さらに、データインタフェース１１４と無線ＷＡＮコマンド変換ブロック１３との間では、データインタフェース１０４を介して、無線ＬＡＮを制御するための制御コマンドの転送が行われる。
【００３０】
無線ＷＡＮコマンド変換ブロック１３は無線ＷＡＮのデータ通信に関する制御コマンドと無線ＬＡＮのデータ通信に関する制御コマンドとの変換を行う。
すなわち、データ送信中の場合には無線ＬＡＮのデータ通信に関する制御コマンドから無線ＷＡＮのデータ通信に関する制御コマンドへの変換を行い、データ受信中の場合には無線ＷＡＮのデータ通信に関する制御情報から無線ＬＡＮのデータ通信に関する制御情報への変換を行う。
この変換により、単一の制御コマンドにして、無線ＬＡＮのデータ通信と無線ＷＡＮのデータ通信を行うことが可能になる。
【００３１】
また、無線ＷＡＮコマンド変換ブロック１３は、データインタフェース１１２から来た送受信データをＬＡＮで定義されたパケット列に構成又は分解し、データインタフェース１１４を介して、携帯通信機器外部インタフェースブロック１４に転送し、携帯通信機器外部インタフェースブロック１４から転送される。このパケット列への構成、分解により、情報端末２０で統一したデータ処理が可能になる。
携帯通信機器外部インタフェースブロック１４には、制御コマンドの転送を行うためのデータインタフェース３０１、有効なネットワークの情報を転送するためのデータインタフェース３０２、送受信データの転送を行うためのデータインタフェース３１１を介して、情報端末２０が接続される。
【００３２】
これにより、情報端末に対して、無線ＷＡＮのアクセス時のデータ通信中にも制御コマンドの発行、有効なネットワークの情報の転送が可能になる。
データインタフェース３０１、データインタフェース３０２、データインタフェース３１１としてＵＳＢ（Ｕｎｉｖｅｒｓａｌ　Ｓｅｒｉａｌ　Ｂｕｓ）インタフェースが用いられ、ＵＳＢインタフェース内でコマンドインタフェースパイプ３０１、ネットワーク選択インジケータインタフェースパイプ３０２、データインタフェースパイプ３１１は、それぞれ別のパイプ（経路）として存在し、それぞれ並行して携帯通信端末１０と情報端末２０間で通信が可能である。
【００３３】
これにより、ＵＳＢインタフェースを用いるので、情報端末と携帯通信端末間の通信が容易に行えるようになる。
また、無線ＬＡＮデータ通信制御ブロック２２と無線ＷＡＮコマンド変換ブロック１３の間に無線ＬＡＮ有効線９８が接続され、無線ＬＡＮ有効線９８は無線ＬＡＮデータ通信制御ブロック２２から無線ＷＡＮコマンド変換ブロック１３に現在無線ＬＡＮが有効であることを知らせる場合にはアクティブになる。
【００３４】
無線ＷＡＮコマンド変換ブロック１３は、無線ＬＡＮ有効線９８がアクティブであることを検出した場合には、無線ＷＡＮデータ通信制御ブロック１２に通信の停止を要求する。
無線ＬＡＮデータ通信制御ブロック２２と無線ＷＡＮデータ通信制御ブロック１２との間に無線ＷＡＮ有効線９９が接続され、無線ＷＡＮ有効線９９は無線ＷＡＮデータ通信制御ブロック１２から無線ＬＡＮデータ通信制御ブロック２２に現在無線ＷＡＮが有効であることを知らせる場合にはアクティブになる。
【００３５】
無線ＬＡＮデータ通信制御ブロック２２は、無線ＷＡＮ有効線９９がアクティブであることを検出した場合には、通信の停止を行う。
このようにして、無線ＷＡＮと無線ＬＡＮの切替が容易になる。
図２は携帯通信端末１０が無線ＬＡＮのサービスエリア内に存在する場合における本発明の一連の動作例を説明するフローチャートである。
【００３６】
本図に示すように、ステップＳ４０１において、携帯通信端末１０が無線ＬＡＮサービスエリア内に存在するとする。
ステップＳ４０２において、無線ＷＡＮに対する無線情報を無線ＷＡＮ通信部１１で送受信する。
ステップＳ４０３において、データインタフェース１０１を介して、無線ＷＡＮデータ通信制御ブロック１２に受信データを送る。
【００３７】
ステップＳ４０４において、ＵＳＢ上のコマンドインタフェースパイプ３０１を介して、携帯通信機器外部インタフェースブロック１４から無線ＷＡＮデータ通信制御ブロック１３にＮＤＩＳフォーマットに則して制御コマンドを送付する。
ステップＳ４０５において、送られたＮＤＩＳコマンドを無線ＷＡＮコマンド変換ブロック１３にてＡＴコマンドを変換する。
なお、既にＵＳＢ上でデータインタフェース３０１にはＮＤＩＳの制御コマンドしか送付されていないため、無線ＷＡＮコマンド変換ブロック１３は、ＡＴコマンド特有の、コマンド列と送受信データの統合分離の作業を行う必要はない。
【００３８】
ステップＳ４０６において、ＵＳＢ上のコマンドインタフェースパイプ３０１を介して、情報端末２０に例えばデータ受信中の電波状況のレポート、課金情報等をＮＤＩＳフォーマットに即して送付する。これにより、無線ＷＡＮで情報端末とデータ通信中にも制御情報の転送が可能になる。
ステップＳ４０７において、ＵＳＢ上のコマンドインタフェースパイプ３１１を介して、送受信データを指定されたパケットサイズに分割統合して転送する。
【００３９】
図３は携帯通信端末１０が無線ＷＡＮのサービスエリア内に存在する場合における本発明の一連の動作例を説明するフローチャートである。
本図に示すように、ステップＳ４１１において、携帯通信端末１０が無線ＷＡＮサービスエリア内に存在するとする。
ステップＳ４１２において、無線ＬＡＮに対する無線情報を無線ＬＡＮ通信部２１で送受信する。
ステップＳ４１３において、データインタフェース２０１を介して、無線ＬＡＮデータ通信制御ブロック２２に受信データを送る。
【００４０】
ステップＳ４１４において、ＵＳＢ上のコマンドインタフェースパイプ３０１を介して、無線ＬＡＮデータ通信制御ブロック２２にＮＤＩＳフォーマットに則して制御コマンドを送付する。
ステップＳ４１５において、ＵＳＢ上のコマンドインタフェースパイプ３０１を介して、情報端末２０に例えばデータ受信中の電波状況のレポート、課金情報等をＮＤＩＳフォーマットに則して送付する。
ステップＳ４１６において、ＵＳＢ上のデータインタフェースパイプ３１１を介して、送受信データを指定されたパケットサイズに分割統合して転送する。
【００４１】
図４は無線ＷＡＮのデータ通信から無線ＬＡＮのデータ通信へ切り替える場合における本発明の動作例を説明するフローチャートである。
本図に示すように、ステップＳ４２１において、携帯通信端末１０が無線ＬＡＮのサービスエリア境界を移動しているとき、例えば無線ＷＡＮのサービスエリア内から、無線ＬＡＮのサービスエリア内に入るとする。
【００４２】
ステップＳ４２２において、無線ＷＡＮ通信部２１で送受信する。
ステップＳ４２３において、データインタフェース２０１を介して、無線ＬＡＮデータ通信制御ブロック２２に受信データを送る。
ステップＳ４２４において、データインタフェース２０１を介して、無線ＬＡＮデータ通信制御ブロック２２に、並行してこれまで無線ＬＡＮ通信部２１から出力されていなかった無線ＬＡＮデータを送る。
【００４３】
ステップＳ４２５において、データインタフェース２０２を介して、情報端末２０に、無線ＬＡＮデータ通信制御ブロック２２は無線ＬＡＮデータを基に無線ＬＡＮの認証手続きを要求する。
ステップＳ４２６において、無線ＬＡＮデータ通信制御ブロック２２は、情報端末２０での無線ＬＡＮの認証が完了すると、無線ＬＡＮ有効線９８をアクティブにする。これにより、携帯通信端末１０の悪用を防止できる。
【００４４】
ステップＳ４２７において、無線ＷＡＮコマンド変換ブロック１３に、現在無線ＬＡＮが有効であることを知らせると共に、無線ＷＡＮでのデータ通信動作の停止を要求する。
ステップＳ４２８において、無線ＷＡＮコマンド変換ブロック１３では、無線ＬＡＮ有効線９８がインアクティブであることを検出し、検出した場合には次のステップに進む。
【００４５】
ステップＳ４２９において、無線ＷＡＮデータ通信制御ブロック１２にＡＴコマンドにて通信の停止を要求する。
ステップＳ４３０において、無線ＷＡＮでのデータ通信が終了した場合には次に進む。
ステップＳ４３１において、データ通信が終了した場合には無線ＷＡＮ有効線９９がアクティブになる。
【００４６】
ステップＳ４３２において、情報端末２０に、無線ＬＡＮでのデータ通信が有効になったとの情報を、ネットワーク選択インジケータインタフェースパイプ３０２を使用し、送付し表示する。
なお、以上では、無線ＷＡＮのデータ通信から無線ＬＡＮのデータ通信へ切り替える場合の動作例について説明したが、無線ＬＡＮのデータ通信から無線ＷＡＮのデータ通信へ切り替える場合の動作例も同様である。
【００４７】
また、以上の説明では、無線ＷＡＮと無線ＬＡＮについて説明したが、複数の異種ネットワークについても同様に説明することができ、さらに、無線ＬＡＮでのデータ通信については、ＩＥＥＥ（Ｉｎｓｔｉｔｕｔｅｏｆ　Ｅｌｅｃｔｒｉｃａｌ　ａｎｄ　Ｅｌｅｃｔｒｏｎｉｃｓ　Ｅｎｇｉｎｅｅｒｓ）８０２．１１ｂ以外でも、ＩＰ（Ｉｎｔｅｒｎｅｔ　ｐｒｏｔｏｃｏｌ）ベースで接続するネットワーク規格も対象になる。
【００４８】
【発明の効果】
以上説明したように、本発明によれば、異種ネットワークにおける、情報端末と通信可能な携帯通信端末であって、前記異種ネットワークのサービスエリアで別々にデータ通信を行う複数の無線通信部と、前記無線通信部のデータ通信を前記無線通信部の固有の制御コマンドで制御するデータ通信制御部と、前記データ通信制御部で使用される制御コマンドと前記情報端末との通信に使用される制御コマンドとの変換を行うコマンド変換部とを備えることを特徴とする情報端末と通信可能な携帯通信端末を提供するので、データ通信を無線ＬＡＮ経由で行っているのか、無線ＷＡＮ経由で行っているのかによって、情報端末側からみた携帯通信端末制御コマンドの種類、制御シーケンスを気にすることなく、シームレスに無線ＬＡＮ、無線ＷＡＮでのデータ通信を行うことが可能になる。すなわち、無線ＷＡＮと無線ＬＡＮとの双方の機能を有する場合にもデータ通信に関する制御方法が簡単になり、無線ＷＡＮでの制御コマンドをＮＤＩＳプロトコルのみにしてしまうことに起因する情報端末内のアプリケーションソフトウエアが動作しなくなくなることを防止し、無線ＷＡＮデータ通信制御部の不使用に起因する開発期間の増大を防止できる。
【図面の簡単な説明】
【図１】本発明に係る異種ネットワークに接続され、情報端末と通信可能な携帯通信端末の概略構成を示すブロック図である。
【図２】携帯通信端末１０が無線ＬＡＮのサービスエリア内に存在する場合における本発明の一連の動作例を説明するフローチャートである。
【図３】携帯通信端末１０が無線ＷＡＮのサービスエリア内に存在する場合における本発明の一連の動作例を説明するフローチャートである。
【図４】無線ＷＡＮのデータ通信から無線ＬＡＮのデータ通信へ切り替える場合における本発明の動作例を説明するフローチャートである。
【図５】本発明の前提となる情報端末と通信可能な携帯通信端末の概略構成を示すブロック図である。
【符号の説明】
１０…携帯通信端末
１１…無線ＷＡＮ通信部
１２…無線ＷＡＮデータ通信制御ブロック
１３…無線ＷＡＮコマンド変換ブロック
１４…携帯通信機器外部インタフェースブロック
２０…情報端末
２１…無線ＬＡＮ通信部
２２…無線ＬＡＮデータ通信制御ブロック
９８…無線ＬＡＮ有効線
９９…無線ＷＡＮ有効線
１０１、１０２、１０４、１１２、１１４、２０１、２０２、２１２…データインタフェース
３０１…データインタフェース（コマンドインタフェースパイプ）
３０２…データインタフェース（ネットワーク選択インジケータインタフェースパイプ）
３１１…データインタフェース（データインタフェースパイプ）
【図１】
2004040147.tif 000003
【図２】
2004040147.tif 000004
【図３】
2004040147.tif 000005
【図４】
2004040147.tif 000006
【図５】
2004040147.tif 000007